【手続補正書】
【提出日】平成16年10月27日(2004.10.27)
【手続補正１】
【補正対象書類名】特許請求の範囲
【補正対象項目名】全文
【補正方法】変更
【補正の内容】
【特許請求の範囲】
【請求項１】
ツールホルダをツール支持部材に対して取り外し可能に固定するためのツールホルダ用ロッキング・アセンブリであって、
ねじ切りされた第１端部及び第２端部を有するほぼ長手方向に延出する部材と、前記第１端部と前記第２端部との間に位置し前記部材から延出する突起とを含み、前記第１端部が、前記第２端部のねじ切りと反対方向にねじ切りされており、１インチ当たりのねじ山の数が、前記第１端部と前記第２端部とで異なっている、ウェッジ・スクリューと、
前記ウェッジ・スクリューの前記第１端部及び前記第２端部のそれぞれに螺合するように構成されており、前記ウェッジ・スクリューに回転可能に固定されると共に、前記ツールホルダが前記ツール支持部材に対してロックされる第１位置と前記ツールホルダが前記ツール支持部材から解除される第２位置との間の制御された距離を前記ウェッジ・スクリューに沿って軸方向に移動可能である、ウェッジ部材と、
を備える、前記ロッキング・アセンブリ。
【請求項２】
前記第１端部が左ねじを含み、前記第２端部が右ねじを含む、請求項１に記載のロッキング・アセンブリ。
【請求項３】
前記第１端部が右ねじを含み、前記第２端部が左ねじを含む、請求項１に記載のロッキング・アセンブリ。
【請求項４】
前記第１端部が３２ピッチのねじ山形状を含み、前記第２端部が１１ピッチのねじ山形状を含む、請求項１に記載のロッキング・アセンブリ。
【請求項５】
前記突起が隆起した円錐面である、請求項１に記載のロッキング・アセンブリ。
【請求項６】
前記ウェッジ部材が、平面部を有する側面と、後面と、前面とを有する円筒形の部材である、請求項１に記載のロッキング・アセンブリ。
【請求項７】
前記前面が傾斜部を含む、請求項６に記載のロッキング・アセンブリ。
【請求項８】
前記後面が六角形をした隆起面を含む、請求項６に記載のロッキング・アセンブリ。
【請求項９】
前記ウェッジ部材が、平面部を有する側面を含み、前記ツール支持部材の側面内部の開口部を通って前記平面部に隣接して延出するピンによって回転可能に固定される、請求項１に記載のロッキング・アセンブリ。
【請求項１０】
ツールホルダと、ツール支持部材と、前記ツールホルダを前記ツール支持部材内部に取り外し可能に固定することのできるロッキング・アセンブリとの組合体であって、
前方端部と、当接面と、前記当接面に隣接し且つ結合されると共に前記前方端部から後方に延出するシャンクとを含み、前記シャンクが、第１部分及び第２部分を含んでおり、前記第２部分が、第１穿孔部及び第２穿孔部によって穿孔されていて、前記第１穿孔部及び前記第２穿孔部が、互いに周方向に離間され且つそれぞれの後方に延出するスロットを有すると共にロック可能面を有するロック可能穿孔部を含む、前記ツールホルダと、
側壁と、前記ツールホルダの前記当接面と係合可能な前方面と、後方面と、前記ツールホルダの前記シャンクを受容するように構成されたボアと、前記ボアと連通し且つ前記側壁を貫通して延出して前記ロッキング・アセンブリを受容する通路とを含む、前記ツール支持部材と、
ねじ切りされた第１端部及び第２端部を有するほぼ長手方向に延出する部材と、前記第１端部と前記第２端部との間に位置し前記部材から延出する突起とを含むと共に、前記通路内部を軸方向に移動するように構成されており、前記第１端部が、前記第２端部のねじ切りと反対方向にねじ切りされており、１インチ当たりのねじ山の数が、前記第１端部と前記第２端部とで異なっている、ウェッジ・スクリューと、前記ウェッジ・スクリューの前記第１端部及び前記第２端部のそれぞれに螺合するように構成されており、前記ウェッジ・スクリューに回転可能に固定されると共に、前記ツールホルダが前記ツール支持部材に対してロックされる第１位置と前記ツールホルダが前記ツール支持部材から解除される第２位置との間の制御された距離を前記ウェッジ・スクリューに沿って軸方向に移動可能である、ウェッジ部材とを含む、前記ロッキング・アセンブリと、
を備える、前記組合体。
【請求項１１】
前記当接面が平面である、請求項１０に記載の組合体。
【請求項１２】
前記当接面が前記シャンクの長手方向軸に垂直である、請求項１１に記載の組合体。
【請求項１３】
前記シャンクが前記ツールホルダと一体式に形成される、請求項１０に記載の組合体。
【請求項１４】
前記シャンクが、長手方向対称軸の周囲の第１の回転面を有する第１部分を含む、請求項１０に記載の組合体。
【請求項１５】
前記第１の面が円錐形である、請求項１４に記載の組合体。
【請求項１６】
前記シャンクが、前記第１部分の後方に結合された第２部分を含む、請求項１４に記載の組合体。
【請求項１７】
前記第２部分が管状である、請求項１６に記載の組合体。
【請求項１８】
前記第１端部が左ねじを含み、前記第２端部が右ねじを含む、請求項１０に記載の組合体。
【請求項１９】
前記第１端部が右ねじを含み、前記第２端部が左ねじを含む、請求項１０に記載の組合体。
【請求項２０】
前記第１端部が３２ピッチのねじ山形状を含み、前記第２端部が１１ピッチのねじ山形状を含む、請求項１０に記載の組合体。
【請求項２１】
前記突起が隆起した円錐面である、請求項１０に記載の組合体。
【請求項２２】
前記ウェッジ部材が、平面部を有する側面と、後面と、前面とを有する円筒形の部材である、請求項１０に記載の組合体。
【請求項２３】
前記前面が傾斜部を含む、請求項２２に記載の組合体。
【請求項２４】
前記後面が六角形をした隆起面を含む、請求項２２に記載の組合体。
【請求項２５】
前記ウェッジ部材が、平面部を有する側面を含み、前記ツール支持部材の側面内部の開口部を通って前記平面部に隣接して延出するピンによって回転可能に固定される、請求項１０に記載の組合体。
【請求項２６】
ロッキング・アセンブリを用いてツールホルダをツール支持部材に対してロック及び解除する方法であって、前記ツールホルダが、第１位置において前記ツール支持部材に対してロックされ、第２位置において前記ツール支持部材から解除され、前方端部と、当接面と、前記当接面に隣接し且つ結合されると共に前記前方端部から後方に延出するシャンクとを含み、前記シャンクが、第１部分及び第２部分を含んでおり、前記第２部分が、第１穿孔部及び第２穿孔部によって穿孔されていて、前記第１穿孔部及び前記第２穿孔部が、互いに周方向に離間され且つそれぞれの後方に延出するスロットを有すると共にロック可能面を有するロック可能穿孔部を含み、前記ツール支持部材が、側壁と、前記ツールホルダの前記当接面と係合可能な前方面と、後方面と、前記ツールホルダの前記シャンクを受容するように構成されたボアと、前記ボアと連通し且つ前記側壁を貫通して延出して前記ロッキング・アセンブリを受容する通路とを含み、前記ロッキング・アセンブリが、ねじ切りされた第１端部及び第２端部を有するほぼ長手方向に延出する部材と、前記第１端部と前記第２端部との間に位置し前記部材から延出する突起とを含むと共に、前記通路内部を軸方向に且つ回転可能に移動可能であり、前記第１端部が、前記第２端部のねじ切りと反対方向にねじ切りされており、１インチ当たりのねじ山の数が、前記第１端部と前記第２端部とで異なっている、ウェッジ・スクリューと、前記ウェッジ・スクリューの前記第１端部及び前記第２端部に係合し、前記ウェッジ・スクリューに回転可能に固定されると共に、制御された距離を前記ウェッジ・スクリューに沿って軸方向に移動可能であり、平面部を有する側面を含み、前記ツール支持部材の側面内部の開口部を通って前記平面部に隣接して延出するピンによって回転可能に固定される、ウェッジ部材とを含む、前記方法であって、
前記ウェッジ・スクリューを前記ウェッジ部材内へ螺合することにより、前記ウェッジ部材を半径方向内側に引き込んで、前記ウェッジ部材を前記ツールホルダの前記シャンク内部にある前記ロック可能穿孔部周囲の前記ロック可能面と接触させることによって、前記第１位置において前記ツールホルダを前記ツール支持部材に対してロックするステップと、
前記ウェッジ・スクリューを前記ウェッジ部材から引き出し、前記ウェッジ部材を逆方向に外側に移動させることにより、前記ツールホルダを前記ツール支持部材からロック解除することによって、前記第２位置において前記ツールホルダを前記ツール支持部材に対して解除するステップであって、前記ウェッジ部材が、前記通路内部の前記ウェッジ・スクリューに沿って異なる速さで外側に移動するステップと、
を含む、前記方法。
【請求項２７】
一方の前記ウェッジ部材を前記ピンに接触させてから、他方の前記ウェッジ部材を前記ピンに接触させることにより、前記突起を軸方向中央に押して前記ツールホルダに押し当てることによって、前記ツールホルダを前記ツール支持部材の前記ボアから押し出すステップをさらに含む、請求項２６に記載の方法。
【手続補正２】
【補正対象書類名】明細書
【補正対象項目名】００２５
【補正方法】変更
【補正の内容】
【００２５】
動作においては、ウェッジ・スクリュー３６が時計回りに回転されると、このウェッジ・スクリューはウェッジ部材５４ａ及び５４ｂ両方のねじ切りボア８０内へ螺合していき、これにより、ウェッジ部材が内側に引き込まれていく。これらのウェッジ部材５４ａ及び５４ｂが半径方向内側に移動すると、ウェッジ部材の傾斜部７６が、ツールホルダ１０の管状シャンク２０内部にあるロック可能穿孔部３８周囲のロック可能面４２と接触し、これにより、ツールホルダがツール支持部材に対してロックされる。より詳細には、図７〜１０に示されているように、ウェッジ部材５４ａ及び５４ｂが半径方向内側に移動すると、ウェッジ部材の傾斜部７６が、ロック可能穿孔部３８周囲のロック可能面４２と接触し、ウェッジ部材５４ａ及び５４ｂの前方半分が、解除可能面の穿孔部の前方半分との接触を解除して回避する。この方式では、ウェッジ部材５４ａ及び５４ｂとロック可能面４２とは、穿孔部３８の後方半分においてのみ接触し、これにより、ツール支持部材１２のボア５０内部のシャンク２０に引き戻し力が働き、ツールホルダがロック位置にしっかりと保持される。ウェッジ部材５４ａ及び５４ｂは、ツール支持部材１２の側壁４４内部にある開口部８４を通って延出するピン７４によって回転可能に固定される。このピン７４が平面部７２に接触することによって、ウェッジ部材５４が通路５２に対して回転可能に固定される。さらに、この平面部７２は、ウェッジ部材５４ａ及び５４ｂの側面６６の一部上に延出しているので、ウェッジ部材は、通路内部を軸方向に移動し得る。
【手続補正３】
【補正対象書類名】明細書
【補正対象項目名】００２７
【補正方法】変更
【補正の内容】
【００２７】
当然のことながら、ツールホルダ１０及びツール支持部材１２は、ボール状のロック要素を含んで、同様に、ツールホルダのシャンク２０をツール支持部材のボア５０内に保持してもよい。これは、マッククリーリーの米国特許第３，４９８，６５３号、マッククレイらの米国特許第４，１３５，４１８号、ヒートンらの米国特許第４，１９７，７７１号、及びフライドラインの米国特許第４，３５０，４６３号により例示されており、これらの特許は、参照により本明細書中に組み込まれる。
【手続補正４】
【補正対象書類名】明細書
【補正対象項目名】００２９
【補正方法】変更
【補正の内容】
【００２９】
【図１】ツールホルダ、支持部材、及びロッキング・アセンブリの拡大斜視図である。
【図２】ツールホルダの斜視図である。
【図３】図２のツールホルダの側面図である。
【図４】図３のツールホルダの端面図である。
【図５】図３のツールホルダを９０度回転させた側面図である。
【図６】図５のツールホルダを９０度回転させた側面図である。
【図７】ロック位置におけるツールホルダ、支持部材、及びロッキング・アセンブリの側面図である。
【図８】図１０のツールホルダ、支持部材、及びロッキング・アセンブリを線８−８に沿って見た断面図である。
【図９】図７のツールホルダ、支持部材、及びロッキング・アセンブリを線９−９に沿って見た断面図である。
【図１０】図７のツールホルダ、支持部材、及びロッキング・アセンブリの端面図である。
【図１１】図１４のツールホルダ、支持部材、及びロッキング・アセンブリの端面図である。
【図１２】図１４のツールホルダ、支持部材、及びロッキング・アセンブリを線１２−１２に沿って見た断面図である。
【図１３】図１１のツールホルダ、支持部材、及びロッキング・アセンブリを線１３−１３に沿って見た断面図である。
【図１４】ロック解除位置におけるツールホルダ、支持部材、及びロッキング・アセンブリの側面図である。
【図１５】ロッキング・アセンブリのウェッジ・ナットの側面図である。
【図１６】図１５のウェッジ・ナットの端面図である。
【図１７】ロッキング・アセンブリのウェッジ・スクリューの側面図である。
【図１８】図１７のウェッジ・スクリューの端面図である。
【図１９】ロッキング・アセンブリのロッキング・スクリューの側面図である。
【図２０】図１９のロッキング・スクリューの端面図である。
【図２１】ロッキング・アセンブリのウェッジ・ナットの側面図である。
【図２２】図２１のウェッジ・ナットの端面図である。